(57)【要約】【課題】ホログラムによる包装用意匠効果を向上させるために積層される印刷層により発生する凹凸面をより平坦化した面一な面に改良するとともに印刷層とホログラムとによる包装用意匠効果を向上させたホログラム入り包装材料を提供する。【解決手段】透明なプラスチックフィルム基材層1 の片面に形成された透明なホログラム形成樹脂層2 の表面に、主印刷層3bと透明印刷層3c又は主印刷層3bと非印刷部3dとからなる外面の印刷層3 を備え、該樹脂層2 と印刷層3 との境界面3aと該印刷層3 の外面にはホログラムエンボス加工して形成されたホログラムエンボス凹凸樹脂面2aとホログラムエンボス凹凸印刷面3aが設けられ、該凹凸印刷面3a上には光反射層4 を備え、前記凹凸樹脂面2a及び凹凸印刷面3aによるホログラム画像領域内2Aには前記透明印刷層3c部分又は前記非印刷部3d部分を全面的に又は部分的に設けた。【選択図】図１
2005153978.tif 000002
【特許請求の範囲】
【請求項１】
透明なプラスチックフィルム基材層１の片面に形成された透明なホログラム形成樹脂層２の表面に、主印刷層３ｂと該主印刷層３ｂの無い透明印刷層３ｃとからなる印刷層３を備え、該ホログラム形成樹脂層２と印刷層３との境界面と該印刷層３の外面には、前記印刷層３の外面上からホログラムエンボス加工して形成されたホログラムエンボス凹凸樹脂面２ａとホログラムエンボス凹凸印刷面３ａが設けられ、前記主印刷層３ｂと透明印刷層３ｃとからなる印刷層３のホログラムエンボス凹凸印刷面３ａ上には光反射層４を備え、前記ホログラムエンボス凹凸樹脂面２ａ及びホログラムエンボス凹凸印刷面３ａによるホログラム画像領域内２Ａには、前記主印刷層３ｂの無い透明印刷層３ｃ部分が全面的に又は部分的に設けられていることを特徴とするホログラム入り包装材料。
【請求項２】
透明なプラスチックフィルム基材層１の片面に形成された透明なホログラム形成樹脂層２の表面に、主印刷層３ｂと非印刷部３ｄとからなる印刷層３を備え、該ホログラム形成樹脂層２と印刷層３との境界面と該印刷層３の外面には、前記印刷層３の外面上からホログラムエンボス加工して形成されたホログラムエンボス凹凸樹脂面２ａとホログラムエンボス凹凸印刷面３ａが設けられ、前記主印刷層３ｂと非印刷部３ｄとからなる印刷層３のホログラムエンボス凹凸印刷面３ａ上には光反射層４を備え、前記ホログラムエンボス凹凸樹脂面２ａ及びホログラムエンボス凹凸印刷面３ａによるホログラム画像領域内２Ａには、前記主印刷層３ｂの無い非印刷部３ｄ部分が全面的に又は部分的に設けられていることを特徴とするホログラム入り包装材料。
【請求項３】
請求項１又は２記載のホログラム入り包装材料において、前記印刷層３の主印刷層３ｂが不透明インキ又は／及び透明インキで形成されていることを特徴とするホログラム入り包装材料。
【請求項４】
請求項１記載のホログラム入り包装材料において、前記ホログラムエンボス凹凸樹脂面２ａ及びホログラムエンボス凹凸印刷面３ａによるホログラム画像領域内２Ａの印刷層３のうち、前記主印刷層３ｂの無い部分に透明インキによる透明印刷層３ｃが形成され、該主印刷層３ｂと透明印刷層３ｃとが、略面一になるように印刷形成されていることを特徴とするホログラム入り包装材料。
【請求項５】
請求項１乃至４のいずれか１項記載のホログラム入り包装材料において、前記ホログラムエンボス凹凸樹脂面２ａ及びホログラムエンボス凹凸印刷面３ａによるホログラム画像領域内２Ａが、ホログラム形成樹脂層２と印刷層３との境界面及び印刷層３の外面に全面的に又は部分的に設けられていることを特徴とするホログラム入り包装材料。
【請求項６】
請求項１乃至５のいずれか１項記載のホログラム入り包装材料において、前記光反射層４が金属蒸着加工又は印刷加工により形成されていることを特徴とするホログラム入り包装材料。
【請求項７】
請求項１乃至６のいずれか１項記載のホログラム入り包装材料において、前記光反射層４上にポリオレフィン系の熱融着性シーラント層６が積層形成されていることを特徴とするホログラム入り包装材料。
【請求項８】
請求項１乃至７のいずれか１項記載のホログラム入り包装材料において、前記光反射層４上に接着剤層を介してカートン用紙層７が積層形成されていることを特徴とするホログラム入り包装材料。
【請求項９】
透明なプラスチックフィルム基材１の片面にホログラム形成樹脂層２と、主印刷層３ｂ
と該主印刷層３ｂの無い透明印刷層３ｃとからなる印刷層３とを、この順に積層成形したホログラム形成シートを、対向するホログラムエンボスロールとプレスロールとからなる加熱エンボス加工手段２６に導入して、ホログラム形成シートの印刷層３表面側から、前記主印刷層３ｂと透明印刷層３ｃ、又は前記透明印刷層３ｃのみを、全面的に又は部分的にエンボス形成して、ホログラム形成樹脂層２と印刷層３との境界面と印刷層３の外面とに、それぞれホログラムエンボス凹凸樹脂面２ａとホログラムエンボス凹凸印刷面３ａを形成した後、該印刷層３上に光反射層４を形成することを特徴とするホログラム入り包装材料の製造方法。
【請求項１０】
透明なプラスチックフィルム基材１の片面にホログラム形成樹脂層２と、主印刷層３ｂと該主印刷層３ｂの無い非印刷部３ｄとからなる印刷層３とを、この順に積層成形したホログラム形成シートを、対向するホログラムエンボスロールとプレスロールとからなる加熱エンボス加工手段２６に導入して、ホログラム形成シートの印刷層３表面側から、前記主印刷層３ｂと透明印刷層３ｃ、又は前記透明印刷層３ｃのみを、全面的に又は部分的にエンボス形成して、ホログラム形成樹脂層２と印刷層３との境界面と印刷層３の外面とに、それぞれホログラムエンボス凹凸樹脂面２ａとホログラムエンボス凹凸印刷面３ａを形成した後、該印刷層３上に光反射層４を形成することを特徴とするホログラム入り包装材料の製造方法。
【請求項１１】
請求項９記載のホログラム入り包装材料の製造方法において、前記ホログラム形成樹脂層２と、主印刷層３ｂと該主印刷層３ｂの無い透明印刷層３ｃとからなる印刷層３との境界面と、該印刷層３の外面とに、それぞれホログラムエンボス凹凸樹脂面２ａと、ホログラムエンボス凹凸印刷面３ａを形成した後のホログラム形成シートを、金属蒸着手段又は印刷手段に導入して、前記印刷層３上に光反射層４を形成することを特徴とするホログラム入り包装材料の製造方法。
【請求項１２】
請求項１０記載のホログラム入り包装材料の製造方法において、前記ホログラム形成樹脂層２と、主印刷層３ｂと該主印刷層３ｂの無い非印刷部３ｄとからなる印刷層３との境界面と、該印刷層３の外面とに、それぞれホログラムエンボス凹凸樹脂面２ａと、ホログラムエンボス凹凸印刷面３ａを形成した後のホログラム形成シートを、金属蒸着手段又は印刷手段に導入して、前記印刷層３上に光反射層４を形成することを特徴とするホログラム入り包装材料の製造方法。
【発明の詳細な説明】
【技術分野】
【０００１】
本発明は、ホログラム画像の形成されたホログラム入り包装材料に関し、パウチ等のプラスチックフィルム製の袋状容器の製袋や、プラスチックフィルムと紙との複合材料製の容器の製函等に用いるホログラム入り包装材料及びその製造方法に関する。
【背景技術】
【０００２】
従来、プラスチックフィルムやアルミニウム箔等の軟質の包装材料を用いて製袋されるパウチ等の袋状容器や、プラスチックフィルムと厚紙との複合包装材料を用いて製函される厚紙を主体とする液体紙容器や紙箱等の包装容器の表面にホログラム画像を形成することにより、装飾性や意匠性やセキュリティー性等の付加価値を付与する場合には、使用する前記包装材料の表面や、製袋又は製函された容器の表面等に、直接、ホログラム画像の形成されたホログラムシートを貼着することにより、ホログラム入り包装材料又はホログラム入り包装容器として製造していた。
【０００３】
上記ホログラムシートは、図５の側断面図に示すように、透明なプラスチックフィルム基材１１の片面にホログラムエンボス形成樹脂層１２を積層形成してホログラム形成シートを作成し、その後、該ホログラムエンボス形成樹脂層１２面をホログラムエンボス金型を用いて加熱エンボス加工して、ホログラムエンボス凹凸樹脂面１２ａを形成し、そのホログラムエンボス凹凸樹脂面１２ａに対してアルミニウム等の金属材料を用いて金属蒸着加工して、金属蒸着層による光反射層１４を形成することにより製造される。
【０００４】
上記ホログラムシートを貼着して形成したホログラム入り包装材料は、貼着したホログラムシートの透明なフィルム基材１１側から観察方向Ｌにてフィルム基材１１を見ることにより、ホログラムエンボス凹凸樹脂面１２ａの光反射層１４にて反射したホログラム干渉光によるホログラム画像が観察できるとともに、包装材料の表面や、製袋又は製函された容器の表面等に施されているパッケージ印刷柄や、包装される商品銘柄や商品に関する情報説明等の文字、図柄等を表示した印刷層が観察されて、包装用の印刷柄や印刷彩色を意匠効果良好に観察でき、また、文字等の包装情報や包装商品情報等も認識することができる。
【０００５】
ところで、包装材料の表面や、製袋又は製函された容器の表面等に、上記ホログラムシートを貼着する場合には、包装材料や容器の表面に印刷表示されているパッケージ印刷柄や包装される商品銘柄や商品に関する情報説明等の文字、図柄等が、ホログラムシートによってオーバーラップしたり隠蔽されたりしないように配慮して貼着する必要がある。
【０００６】
また、貼着されるホログラムシート本体側にも、そのホログラム画像と共に、その容器に対応したパッケージ印刷柄や包装される商品銘柄や商品に関する情報、説明等の文字、図柄等を施すことができれば、容器の装飾性や意匠性やセキュリティー性等の付加価値を一層、明確に付与することができるものである。
【特許文献１】特開平０５−２６５３６５号公報
【発明の開示】
【発明が解決しようとする課題】
【０００７】
本発明の課題は、包装材料本体や、製袋又は製函された容器本体の積層構造の内部にホログラム画像を積層形成するするとともに、包装材料や容器の用途に対応したパッケージ印刷柄や包装される商品銘柄や商品に関する情報、説明等の文字、図柄等の印刷層を、そ
のホログラム画像にオーバーラップさせて施し、ホログラム画像と印刷層とによる包装用装飾、意匠効果を向上させたホログラム入り包装材料及びその製造方法を提供するものであり、包装材料及び容器の装飾性や意匠性やセキュリティー性等の付加価値を一層明確に付与することができるようにするとともに、ホログラム入り包装材料の製造能率を向上させることにある。
【課題を解決するための手段】
【０００８】
本発明の請求項１に係る発明は、透明なプラスチックフィルム基材層１の片面に形成された透明なホログラム形成樹脂層２の表面に、主印刷層３ｂと該主印刷層３ｂの無い透明印刷層３ｃとからなる印刷層３を備え、該ホログラム形成樹脂層２と印刷層３との境界面と該印刷層３の外面には、前記印刷層３の外面上からホログラムエンボス加工して形成されたホログラムエンボス凹凸樹脂面２ａとホログラムエンボス凹凸印刷面３ａが設けられ、前記主印刷層３ｂと透明印刷層３ｃとからなる印刷層３のホログラムエンボス凹凸印刷面３ａ上には光反射層４を備え、前記ホログラムエンボス凹凸樹脂面２ａ及びホログラムエンボス凹凸印刷面３ａによるホログラム画像領域内２Ａには、前記主印刷層３ｂの無い透明印刷層３ｃ部分が全面的に又は部分的に設けられていることを特徴とするホログラム入り包装材料である。
【０００９】
本発明の請求項２に係る発明は、透明なプラスチックフィルム基材層１の片面に形成された透明なホログラム形成樹脂層２の表面に、主印刷層３ｂと非印刷部３ｄとからなる印刷層３を備え、該ホログラム形成樹脂層２と印刷層３との境界面と該印刷層３の外面には、前記印刷層３の外面上からホログラムエンボス加工して形成されたホログラムエンボス凹凸樹脂面２ａとホログラムエンボス凹凸印刷面３ａが設けられ、前記主印刷層３ｂと非印刷部３ｄとからなる印刷層３のホログラムエンボス凹凸印刷面３ａ上には光反射層４を備え、前記ホログラムエンボス凹凸樹脂面２ａ及びホログラムエンボス凹凸印刷面３ａによるホログラム画像領域内２Ａには、前記主印刷層３ｂの無い非印刷部３ｄ部分が全面的に又は部分的に設けられていることを特徴とするホログラム入り包装材料である。
【００１０】
本発明の請求項３に係る発明は、上記請求項１又は２に係るホログラム入り包装材料において、前記印刷層３の主印刷層３ｂが不透明インキ又は／及び透明インキで形成されていることを特徴とするホログラム入り包装材料である。
【００１１】
本発明の請求項４に係る発明は、上記請求項１に係るホログラム入り包装材料において、前記ホログラムエンボス凹凸樹脂面２ａ及びホログラムエンボス凹凸印刷面３ａによるホログラム画像領域内２Ａの印刷層３のうち、前記主印刷層３ｂの無い部分に透明インキによる透明印刷層３ｃが形成され、該主印刷層３ｂと透明印刷層３ｃとが、略面一になるように印刷形成されていることを特徴とするホログラム入り包装材料である。
【００１２】
本発明の請求項５に係る発明は、上記請求項１乃至４のいずれか１項に係るホログラム入り包装材料において、前記ホログラムエンボス凹凸樹脂面２ａ及びホログラムエンボス凹凸印刷面３ａによるホログラム画像領域内２Ａが、ホログラム形成樹脂層２と印刷層３との境界面及び印刷層３の外面に全面的に又は部分的に設けられていることを特徴とするホログラム入り包装材料である。
【００１３】
本発明の請求項６に係る発明は、上記請求項１乃至５のいずれか１項に係るホログラム入り包装材料において、前記光反射層４が金属蒸着加工又は印刷加工により形成されていることを特徴とするホログラム入り包装材料である。
【００１４】
本発明の請求項７に係る発明は、上記請求項１乃至６のいずれか１項に係るホログラム入り包装材料において、前記光反射層４上にポリオレフィン系の熱融着性シーラント層６
が積層形成されていることを特徴とするホログラム入り包装材料である。
【００１５】
本発明の請求項８に係る発明は、上記請求項１乃至７のいずれか１項に係るホログラム入り包装材料において、前記光反射層４上に接着剤層を介してカートン用紙層７が積層形成されていることを特徴とするホログラム入り包装材料である。
【００１６】
本発明の請求項９に係る発明は、透明なプラスチックフィルム基材１の片面にホログラム形成樹脂層２と、主印刷層３ｂと該主印刷層３ｂの無い透明印刷層３ｃとからなる印刷層３とを、この順に積層成形したホログラム形成シートを、対向するホログラムエンボスロールとプレスロールとからなる加熱エンボス加工手段２６に導入して、ホログラム形成シートの印刷層３表面側から、前記主印刷層３ｂと透明印刷層３ｃ、又は前記透明印刷層３ｃのみを、全面的に又は部分的にエンボス形成して、ホログラム形成樹脂層２と印刷層３との境界面と印刷層３の外面とに、それぞれホログラムエンボス凹凸樹脂面２ａとホログラムエンボス凹凸印刷面３ａを形成した後、該印刷層３上に光反射層４を形成することを特徴とするホログラム入り包装材料の製造方法である。
【００１７】
本発明の請求項１０に係る発明は、透明なプラスチックフィルム基材１の片面にホログラム形成樹脂層２と、主印刷層３ｂと該主印刷層３ｂの無い非印刷部３ｄとからなる印刷層３とを、この順に積層成形したホログラム形成シートを、対向するホログラムエンボスロールとプレスロールとからなる加熱エンボス加工手段２６に導入して、ホログラム形成シートの印刷層３表面側から、前記主印刷層３ｂと透明印刷層３ｃ、又は前記透明印刷層３ｃのみを、全面的に又は部分的にエンボス形成して、ホログラム形成樹脂層２と印刷層３との境界面と印刷層３の外面とに、それぞれホログラムエンボス凹凸樹脂面２ａとホログラムエンボス凹凸印刷面３ａを形成した後、該印刷層３上に光反射層４を形成することを特徴とするホログラム入り包装材料の製造方法である。
【００１８】
本発明の請求項１１に係る発明は、上記請求項９に係るホログラム入り包装材料の製造方法において、前記ホログラム形成樹脂層２と、主印刷層３ｂと該主印刷層３ｂの無い透明印刷層３ｃとからなる印刷層３との境界面と、該印刷層３の外面とに、それぞれホログラムエンボス凹凸樹脂面２ａと、ホログラムエンボス凹凸印刷面３ａを形成した後のホログラム形成シートを、金属蒸着手段又は印刷手段に導入して、前記印刷層３上に光反射層４を形成することを特徴とするホログラム入り包装材料の製造方法である。
【００１９】
本発明の請求項１２に係る発明は、上記請求項１０に係るホログラム入り包装材料の製造方法において、前記ホログラム形成樹脂層２と、主印刷層３ｂと該主印刷層３ｂの無い非印刷部３ｄとからなる印刷層３との境界面と、該印刷層３の外面とに、それぞれホログラムエンボス凹凸樹脂面２ａと、ホログラムエンボス凹凸印刷面３ａを形成した後のホログラム形成シートを、金属蒸着手段又は印刷手段に導入して、前記印刷層３上に光反射層４を形成することを特徴とするホログラム入り包装材料の製造方法である。
【発明の効果】
【００２０】
本発明の請求項１に係る発明のホログラム入り包装材料は、図１（ａ）に示すように、透明なプラスチックフィルム基材層１の片面に形成した透明なホログラム形成樹脂層２及び該ホログラム形成樹脂層２上に施した主印刷層３ｂと該主印刷層３ｂの無い透明印刷層３ｃとからなる印刷層３の表面に、ホログラムエンボス金型（押し型）を用いた加熱エンボス加工にて同時形成されたホログラムエンボス凹凸樹脂面２ａとホログラムエンボス凹凸印刷面３ａを備えており、該ホログラムエンボス凹凸樹脂面２ａ及びホログラムエンボス凹凸印刷面３ａによるホログラム画像領域内２Ａ、又は／及びホログラム画像領域外２Ｂに、印刷加工にて形成された主印刷層３ｂと透明印刷層３ｃとからなる非印刷部の無い略面一な印刷層３の外面を備えており、更に主印刷層３ｂと透明印刷層３ｃとからなる前
記印刷層３の外面上には、金属蒸着加工又は印刷加工による不透明（遮光性）乃至半透明の光反射層４を備えているため、包装材料本体の積層構造の内部にはホログラム画像が積層形成されているとともに、包装材料や容器の用途に対応したパッケージ印刷柄や包装される商品銘柄や商品に関する情報、説明等の文字、図柄等の印刷層が、そのホログラム画像にオーバーラップして施され、包装材料のホログラム画像と印刷層３とによる包装用装飾、意匠効果を向上させ、包装材料及び容器の装飾性や意匠性やセキュリティー性等の付加価値を一層明確に付与することができる。
【００２１】
また、前記光反射層４の外面には、前記略面一な印刷層３によって凹凸面が発生せず、パウチ製袋用の包装材料として、ポリオレフィン樹脂系の熱接着性樹脂によるシーラント層をコーティング又はラミネートしたり、あるいは紙箱など紙製容器の製函用包装材料として光反射層４の外面に厚紙などをラミネートする際に密着性が向上し、コーティング適性やラミネート適性を良好にすることができる。
【００２２】
また、前記ホログラムエンボス凹凸面２ａ及びホログラムエンボス凹凸印刷面３ａによるホログラム画像領域内２Ａ、又は／及びホログラム画像領域外２Ｂに、印刷加工にて形成された包装用絵柄、彩色、文字等の包装情報表示部としての主印刷層３ｂと透明インキを用いた透明印刷層３ｃとからなる略面一化した膜厚ｄの印刷層３を備え、しかも、前記ホログラムエンボス凹凸樹脂面２ａとホログラムエンボス凹凸印刷面３ａとによるホログラム画像領域内２Ａには、前記主印刷層３ｂの無い透明インキによる透明印刷層３ｃ部分が、全面的に又は部分的に存在するように構成したので、外光が透明なフィルム基材層１と透明なホログラム形成樹脂層２と、該ホログラム形成樹脂層２の構成樹脂と近似する光屈折率を示す透明樹脂をバインダー（又はインキビヒクル）として用いた透明なグラビアインキ（又はオフラットインキ）等により構成された透明印刷層３ｃを介して不透明（遮光性）乃至半透明の光反射層４面に良好に入射し、光反射層４面にて反射した反射光が透明印刷層３ｃを介してホログラム画像領域内２Ａにおける透明なホログラム形成樹脂層２のホログラムエンボス凹凸面２ａによるホログラム画像として透明印刷層３ｃを介して出射して鮮明に観察でき、ホログラム画像による包装用意匠効果を向上できるとともに、ホログラム画像と、主印刷層３ｂの画像と、透明印刷層３ｃの透明パターンとによる相乗的な包装用意匠効果が達成される。
【００２３】
本発明の請求項２に係る発明のホログラム入り包装材料は、図１（ｂ）に示すように、透明なプラスチックフィルム基材層１の片面に形成した透明なホログラム形成樹脂層２及び該ホログラム形成樹脂層２上に施した主印刷層３ｂと非印刷部３ｄとからなる印刷層３の表面に、ホログラムエンボス金型（押し型）を用いた加熱エンボス加工にて同時形成されたホログラムエンボス凹凸樹脂面２ａとホログラムエンボス凹凸印刷面３ａを備えており、該ホログラムエンボス凹凸樹脂面２ａ及びホログラムエンボス凹凸印刷面３ａによるホログラム画像領域内２Ａ、又は／及びホログラム画像領域外２Ｂに、印刷加工にて形成された主印刷層３ｂと非印刷部３ｄとからなる印刷層３の外面を備えており、更に、主印刷層３ｂと非印刷部３ｄとからなる印刷層３の外面上に金属蒸着加工又は印刷加工による不透明（遮光性）乃至半透明の光反射層４を備えているため、包装材料本体の積層構造の内部にはホログラム画像が積層形成されているとともに、包装材料や容器の用途に対応したパッケージ印刷柄や包装される商品銘柄や商品に関する情報、説明等の文字、図柄等の印刷層が、そのホログラム画像にオーバーラップして施され、包装材料のホログラム画像と印刷層とによる包装用装飾、意匠効果を向上させ、包装材料及び容器の装飾性や意匠性やセキュリティー性等の付加価値を一層明確に付与することができる。
【００２４】
また、前記ホログラムエンボス凹凸面２ａ及びホログラムエンボス凹凸印刷面３ａによるホログラム画像領域内２Ａ、又は／及びホログラム画像領域外２Ｂに、印刷加工にて形成された包装用絵柄、彩色、文字等の包装情報表示部としての主印刷層３ｂと非印刷部３
ｄとからなる膜厚ｄの印刷層３を備え、しかも、前記ホログラムエンボス凹凸樹脂面２ａとホログラムエンボス凹凸印刷面３ａとによるホログラム画像領域内２Ａには、前記主印刷層３ｂ及び透明印刷層３ｃの無い非印刷部３ｄ部分が、全面的に又は部分的に存在するように構成したので、外光が透明なフィルム基材層１と透明なホログラム形成樹脂層２とを介して、不透明（遮光性）乃至半透明の光反射層４面に良好に入射し、光反射層４面にて反射した反射光がホログラム画像領域内２Ａにおける透明なホログラム形成樹脂層２のホログラムエンボス凹凸面２ａによるホログラム画像として出射して、観察側Ｌから鮮明に観察でき、ホログラム画像による包装用装飾、意匠効果を向上できるとともに、ホログラム画像と、主印刷層３ｂの画像と、非印刷部３ｄの透明パターンとによる相乗的な包装用総力、意匠効果が達成される。
【発明を実施するための最良の形態】
【００２５】
本発明のホログラム入り包装材料を、以下にその実施の形態に沿って詳細に説明する。図１（ａ）は一実施の形態による本発明のホログラム入り包装材料Ａの側断面図であり、例えば、ポリプロピレン、ポリエチレンテレフタレートのうちのいずれか１種の透明なプラスチックフィルム基材層１の片面に、ポリプロピレン、ポリエチレンテレフタレート、ポリエチレンのうちのいずれか１種の透明なホログラム形成樹脂層２が積層形成され、その樹脂層２の表面には、図１（ａ）に示すように、それぞれ主印刷層３ｂと透明印刷層３ｃとからなる外面の印刷層３を備えている。
【００２６】
該ホログラム形成樹脂層２と印刷層３との境界面３ａと該印刷層３の外面には、略面一な膜厚ｄの前記印刷層３の外面上から、ホログラムエンボス加工して形成されたホログラムエンボス凹凸樹脂面２ａとホログラムエンボス凹凸印刷面３ａとが設けられていて、該印刷層３のホログラムエンボス凹凸印刷面３ａ上には光反射層４を備えている。なお、本発明において、印刷層３の主印刷層３ｂと透明印刷層３ｃのそれぞれ膜厚ｄは、特に限定されるものではないが、例えば１〜１０μｍ程度の薄い膜厚が適当である。また、印刷層３の主印刷層３ｂと透明印刷層３ｃのそれぞれ膜厚ｄを１〜１０μｍより厚く設定した場合には少なくとも等しく又は近似する値で略等しく設定されていることが適当である。
【００２７】
前記ホログラムエンボス凹凸樹脂面２ａ及びホログラムエンボス凹凸印刷面３ａによるホログラム画像領域内２Ａには、前記主印刷層３ｂの無い透明印刷層３ｃ部分が、全面的に又は部分的に存在している。
【００２８】
上記ホログラム入り包装材料Ａにおいて、前記印刷層３の主印刷層３ｂは、ホログラム形成樹脂層２に対して密着性の良好な樹脂をインキバインダー若しくはインキビヒクルとした不透明インキ又は／及び透明インキで形成されており、前記ホログラムエンボス凹凸樹脂面２ａ及びホログラムエンボス凹凸印刷面３ａによるホログラム画像領域内２Ａの印刷層３のうち、前記主印刷層３ｂの無い部分に透明インキによる透明印刷層３ｃが形成されているものである。
【００２９】
前記ホログラム画像領域内２Ａのホログラムエンボス凹凸樹脂面２ａ及びホログラムエンボス凹凸印刷面３ａは、それぞれホログラム形成樹脂層２と印刷層３との境界面３ａ及び印刷層３の外面に、全面的に又は部分的に設けられている。
【００３０】
印刷層３の膜厚ｄのそれぞれ主印刷層３ｂと透明印刷層３ｃとからなる外面の前記印刷層３面上には、光反射層４が積層形成されており、積層形成された光反射層４は、アルミニウム等の金属蒸着加工又は金属粉体（真鍮粉末、アルミニウム粉末）を顔料とする印刷インキを用いた印刷加工により形成されている。
【００３１】
上記ホログラム入り包装材料Ａは、外光が、透明なフィルム基材層１と透明なホログラ
ム形成樹脂層２と、該ホログラム形成樹脂層２の構成樹脂と近似する光屈折率を示す透明樹脂をバインダー（又はインキビヒクル）として用いた透明なグラビアインキ（又はオフラットインキ）等により構成された透明印刷層３ｃを介して不透明（遮光性）乃至半透明の光反射層４面に良好に入射し、光反射層４面にて反射した反射光が、透明印刷層３ｃを介してホログラム画像領域内２Ａにおける透明なホログラム形成樹脂層２のホログラムエンボス凹凸面２ａによるホログラム画像として透明印刷層３ｃを介して出射して、観察側Ｌから鮮明に観察でき、ホログラム画像による包装用意匠効果を向上できるとともに、ホログラム画像と、主印刷層３ｂの画像と、透明印刷層３ｃの透明パターンとによる相乗的な包装用意匠効果が達成される。
【００３２】
図１（ｂ）は、他の実施の形態による本発明のホログラム入り包装材料Ａの側断面図であり、例えば、ポリプロピレン、ポリエチレンテレフタレートのうちのいずれか１種の透明なプラスチックフィルム基材層１の片面に、ポリプロピレン、ポリエチレンテレフタレート、ポリエチレンのうちのいずれか１種の透明なホログラム形成樹脂層２が積層形成され、その樹脂層２の表面には、それぞれ主印刷層３ｂと、該主印刷層３ｂの無い非印刷部３ｄとからなる外面の印刷層３を備えている。
【００３３】
図１（ｂ）に示すホログラム入り包装材料Ａは、前述の図１（ａ）に示したホログラム入り包装材料Ａの透明印刷層３ｃ相当部分に、主印刷層３ｂ又は透明印刷層３ｃの無い非印刷部３ｄを設けたものである。
【００３４】
上記ホログラム入り包装材料Ａは、外光が、透明なフィルム基材層１と透明なホログラム形成樹脂層２を介して不透明（遮光性）乃至半透明の光反射層４面に良好に入射し、光反射層４面にて反射した反射光が、ホログラム画像領域内２Ａにおける透明なホログラム形成樹脂層２のホログラムエンボス凹凸面２ａによるホログラム画像として出射して観察側Ｌから鮮明に観察でき、ホログラム画像による包装用意匠効果を向上できるとともに、ホログラム画像と、主印刷層３ｂの画像と、非印刷部３ｄの透明パターンとによる相乗的な包装用意匠効果が達成される。
【００３５】
図２は、本発明のホログラム入り包装材料Ａのその他の実施の形態を示し、ホログラムエンボス凹凸印刷面３ａ面に形成された光反射層４の外面に、露呈する光反射層４のホログラムエンボス凹凸面４ａを平坦化するために、例えば、ポリエチレン、ポリプロピレンなどの平坦化樹脂層５をラミネート又はコーティングにて積層形成したものである。
【００３６】
図３（ａ）は、本発明のホログラム入り包装材料Ａのその他の実施の形態を示し、ホログラムエンボス凹凸印刷面３ａ面に形成された光反射層４の外面に、ポリエチレン、ポリプロピレン等のポリオレフィン系の熱接着性樹脂を用いてシーラント層６を積層形成して、パウチ等の製袋用や容器製函用のヒートシール層を形成してホログラム入り包装材料Ａとしたものである。
【００３７】
図３（ｂ）は、本発明のホログラム入り包装材料Ａの他の実施の形態を示し、ホログラムエンボス凹凸印刷面３ａ面に形成された光反射層４の外面に、ポリエチレン、ポリプロピレン等のポリオレフィン系の熱接着性樹脂を用いてシーラント層又は接着剤層６を積層形成し、その接着剤層６を介して、板紙７（厚紙、カートン用紙等）を積層接着して、紙箱容器など紙を主体とする複合容器の製函用のホログラム入り包装材料Ａとしたものである。
【００３８】
次に、本発明のホログラム入り包装材料Ａの製造方法の一例を、図４の製造装置の概要側面図に基づいて以下に説明すれば、まず、フィルム巻出部２１から透明なプラスチックフィルム基材１（フィルム基材名：例えば、ポリプロピレン樹脂フィルム（２０μｍ）、
又はポリエチレンテレフタレート樹脂フィルム（２０μｍ）のうちのいずれか１種のフィルム）を巻き出しながら、そのフィルム基材１の片面に溶融樹脂押し出しコーティング部２２のＴダイからホログラム形成樹脂（樹脂名：例えば、紫外線硬化型のポリプロピレン樹脂、又はポリエチレンテレフタレート樹脂、又はポリエチレン樹脂のいずれか１種の樹脂）を、例えば、膜厚２０μｍにて押し出しコーティングした後、樹脂硬化部２３（冷却手段（冷却ロール））に導入して、コーティングされたホログラム形成樹脂を硬化させ、フィルム基材１の片面にホログラム形成樹脂層２を形成し、ホログラム形成シート（１，２）を作成する。
【００３９】
次に、前記ホログラム形成シート（１，２）を第１印刷部２４と第２印刷部２５に導入して、前記ホログラム形成樹脂層２面に、第１印刷部２４により主印刷層３ｂ（又は透明印刷層３ｃ）を形成し、該主印刷層３ｂ（又は透明印刷層３ｃ）の印刷されていない領域に、第２印刷部２５により透明印刷層３ｃ（又は主印刷層３ｂ）を印刷して、主印刷層３ｂと透明印刷層３ｃの印刷膜面が互いに面一な外面を呈する印刷インキ膜厚ｄの印刷層３を形成する。
【００４０】
第１印刷部２４、第２印刷部２５は、通常のグラビア印刷方式（図４に示すように対向する版胴２４ａ、２５ａ、プレス胴２４ｂ、２５ｂ、インキ供給パン２４ｃ、２５ｃからなり、シート（１，２）を版胴２４ａ、プレス胴２４ｂ、版胴２５ａ、プレス胴２５ｂのそれぞれ対向間に導入）、又はオフセット印刷方式（それぞれ湿し水供給ロール、インキ供給ロール、版胴、ブランケット胴、プレス胴からなりシート（１，２）を対向するブランケット胴とプレス胴との間に導入）、又はロータリースクリーン印刷方式（シート（１，２）を対向する円筒状スクリーン版胴（円筒内部にスキージ搭載）とプレス胴との間に導入）する。
【００４１】
上記第１印刷部２４、第２印刷部２５にて使用する印刷インキとしては、通常の溶剤揮散型グラビアインキ、あるいは通常の酸化重合型あるいは紫外線乾燥型のオフセットインキ（ＵＶインキ）、あるいは通常の酸化重合型あるいは紫外線乾燥型のスクリーンインキなどが使用できる。なお、溶剤揮散型インキを使用した場合には加熱乾燥部、紫外線乾燥型インキ（ＵＶインキ）を使用した場合には紫外線照射部（ＵＶ光照射部）によるインキ乾燥部３１、３２を設ける。
【００４２】
続いて、印刷層３が形成されたホログラム形成シート（１，２，３）を、対向するホログラムエンボスロール２６ａとプレスロール２６ｂとからなる加熱エンボス加工部２６に導入して、ホログラム形成シート（１，２，３）の面一な印刷層３表面側から、前記主印刷層３ｂと透明印刷層３ｃ、又は前記透明印刷層３ｃのみを、全面的に又は部分的にエンボス形成して、ホログラム形成樹脂層２と印刷層３との境界面と、印刷層３の外面とに、それぞれホログラムエンボス凹凸樹脂面２ａとホログラムエンボス凹凸印刷面３ａを形成する。
【００４３】
そして、ホログラムエンボス凹凸樹脂面２ａとホログラムエンボス凹凸印刷面３ａを形成したホログラム形成シート（１，２，３）を金属蒸着手段２７（又は印刷手段）に導入して、印刷層３外面のホログラムエンボス凹凸印刷面３ａ上に、必要に応じてプライマー層（アンカーコート層）を塗布した後、アルミニウム等の金属蒸着膜（又はアルミニウム等の金属粉体を顔料とする金属インキ）による光反射層４を形成して、本発明のホログラム入り包装材料を製造する。なお、その後に光反射層４上には、平坦化樹脂層５、あるいはシーラント層６（例えば層厚３０μｍ）やカートン用紙層７を積層ラミネートすることができる。
【図面の簡単な説明】
【００４４】
【図１】（ａ）は本発明のホログラム入り包装材料の一実施の形態を説明する側断面図、（ｂ）は本発明のホログラム入り包装材料の他の実施の形態を説明する側断面図。
【図２】本発明のホログラム入り包装材料の他の実施の形態を説明する側断面図。
【図３】（ａ）は本発明のホログラム入り包装材料の裏面に平坦化樹脂層を積層形成した実施の形態を説明する側断面図、（ｂ）は本発明のホログラム入り包装材料の裏面にカートン用紙を積層形成した実施の形態を説明する側断面図。
【図４】本発明のホログラム入り包装材料の製造工程を説明する側面図。
【図５】従来のホログラム入り包装材料を説明する側断面図。
【符号の説明】
【００４５】
Ａ…ホログラム入り包装材料
１…フィルム基材層  ２…ホログラム形成樹脂層  
２ａ…ホログラムエンボス凹凸樹脂面  ２Ａ…ホログラム画像領域
２Ｂ…ホログラム画像領域  ３…印刷層  ３ａ…ホログラムエンボス凹凸印刷面
３ｂ…主印刷層  ３ｃ…透明印刷層  ３ｄ…非印刷部  ４…光反射層  ５…平坦化樹脂層６…シーラント層（又は接着剤層）  ７…カートン用紙層
１１…フィルム基材層  １２…印刷層  １３…ホログラム形成樹脂層  
１３ａ…ホログラムエンボス凹凸樹脂層  １４…光反射層
２１…フィルム基材巻出部  ２２…ホログラム形成樹脂塗布部  ２３…樹脂硬化部
２４…第１印刷部  ２５…第２印刷部  ２６…ホログラムエンボス加工部
２７…光反射層形成部
【図１】
2005153978.tif 000003
【図２】
2005153978.tif 000004
【図３】
2005153978.tif 000005
【図４】
2005153978.tif 000006
【図５】
2005153978.tif 000007